(57)【要約】【課題】ディスクをターンテーブルに着脱する作業を容易に行うことができるディスククランプ装置およびディスククランプ装置を備えたディスク装置を提供すること。【解決手段】ディスククランプ装置は、ディスク２１を載置する載置面１１ａを有し、回転自在なターンテーブル１１と、ターンテーブル１１に設けられ、ディスク２１の中心に設けられた穴２１ａに圧接してディスク２１を把持する台座１２、爪１３およびバネ１４と、載置面１１ａの一部分に設けられた弾性シート１５と、弾性シート１５の背面のターンテーブル１１に設けられ、ターンテーブル１１の回転に伴って載置面１１に載置されたディスク２１に負圧を発生させる貫通穴１６およびフード部材１７とを備える。【選択図】      図１
2004199739.tif 000002
【特許請求の範囲】
【請求項１】
ディスクを載置する載置面を有し、回転自在なターンテーブルと、前記ターンテーブルに設けられ、前記ターンテーブルの回転に伴って前記載置面に載置されたディスクに負圧を発生させる負圧発生部とを備えたことを特徴とするディスククランプ装置。
【請求項２】
前記負圧発生部は、前記載置面を貫通する貫通穴と、前記載置面と反対側の前記ターンテーブルに設けられ、前記ターンテーブルの回転方向と相反する方向に開口する開口部を有して前記貫通穴を覆う遮蔽部とを備え、前記ターンテーブルの回転に伴って前記遮蔽部内に負圧を発生させることを特徴とする請求項１記載のディスククランプ装置。
【請求項３】
請求項１または請求項２記載のディスククランプ装置を備えたことを特徴とするディスク装置。
【発明の詳細な説明】
【０００１】
【発明の属する技術分野】
本発明は、ＣＤプレーヤ、ＤＶＤプレーヤ、フロッピー（登録商標）ディスクドライブ等でディスクをターンテーブルに安定して固定することができるディスククランプ装置およびディスク装置に関する。
【０００２】
【従来の技術】
近時のＣＤプレーヤやフロッピー（登録商標）ディスクドライブ等のディスク装置に設けられたディスククランプ装置にあっては、ディスクを載置するターンテーブルに、ディスクの中心に設けられた穴に圧接してディスクを把持する把持部を設けることにより、ディスククランプ装置の薄型化を図りつつ、ターンテーブルの高速回転時にディスクをターンテーブルに安定して固定できるようになっている。
【０００３】
従来のこの種のディスククランプ装置を図６に基づいて説明する（例えば、特許文献１参照）。図６において、円状のターンテーブル１の中心部には図示しないディスクの中心部に設けられた穴が嵌合する台座２が設けられている。
【０００４】
この台座２にはターンテーブル１の放射方向に沿って摺動する爪３が設けられているとともに、爪３を放射方向外方に付勢するバネ４が設けられている。また、爪３にはテーパ３ａが設けられており、このテーパ３ａは所定箇所から上部がターンテーブル１の中心部に向かって傾斜している。また、爪３にはテーパ３ｂが設けられており、このテーパ３ｂはテーパ３ａに連続する前記所定箇所から下部がターンテーブル１の中心部に向かって傾斜している。
【０００５】
このようにディスククランプ装置１にあっては、ディスクをターンテーブル１に取付ける際に、ディスクの中心の穴がテーパ３ａに沿って移動して、爪３がバネ４の付勢力に抗してターンテーブル１の放射方向内方に移動することにより、ディスクがターンテーブル１の載置面１ａ側に移動する。そして、ディスクが載置面１ａ側にさらに移動すると、ディスクの穴がテーパ３ａからテーパ３ｂに移動するため、爪３がバネ４に付勢されてターンテーブル１の放射方向外方に移動することにより、ディスクが爪３によって載置面１ａに圧接されることにより、ディスクがターンテーブル１に強固に装着される。
【０００６】
また、ディスクをターンテーブル１から取外す際には、ディスクが上方に移動すると、テーパ３ｂ、３ａに沿って爪３が台座２内を摺動することにより、ディスクがターンテーブル１からスムーズに取外される。
【０００７】
【特許文献１】
特開平５−２５８４３５号公報
【０００８】
【発明が解決しようとする課題】
しかしながら、このような従来のディスククランプ装置にあっては、ディスクにデータを記録したり、ディスクのデータの再生を行うためにターンテーブルを回転させたときに、ディスクをターンテーブル１に安定して固定する必要があるため、比較的大きな力で爪３をディスクの穴に圧接する必要がある。
【０００９】
このため、ターンテーブルからディスクを着脱する際に、爪３をバネ４の付勢力に抗してターンテーブル１の放射方向内方に摺動させるために大きな力が必要になってしまい、ディスクの着脱作業が面倒であるという問題があった。
【００１０】
本発明は、上記従来の問題を解決するもので、ディスクをターンテーブルに着脱する作業を容易に行うことができるディスククランプ装置およびディスククランプ装置を備えたディスク装置を提供することを目的とするものである。
【００１１】
【課題を解決するための手段】
本発明のディスククランプ装置は、ディスクを載置する載置面を有し、回転自在なターンテーブルと、前記ターンテーブルに設けられ、前記ターンテーブルの回転に伴って前記載置面に載置されたディスクに負圧を発生させる負圧発生部とを備えたものから構成される。
【００１２】
このような構成により、ターンテーブルの回転に伴って載置面に載置されたディスクの背面に負圧を発生させるので、ディスクに記録されたデータを再生する際またはディスクにデータを記録する際に、負圧によってディスクをターンテーブルに密着させることができ、ディスクを安定して回転させることができる。
【００１３】
したがって、ターンテーブルの回転時に把持部をディスクの穴に強い力で圧接する必要がないので、ディスクをターンテーブルから着脱する際に大きな力が必要でなくなり、ディスクの着脱作業の作業性を向上させることができる。
【００１４】
また、ターンテーブルの回転時に把持部をディスクの穴に強い力で圧接する必要がないので、把持部の構成を簡素化することができ、低コストなディスククランプ装置を提供することができる。
【００１５】
また、本発明のディスククランプ装置は、前記負圧発生部は、前記載置面を貫通する貫通穴と、前記載置面と反対側の前記ターンテーブルに設けられ、前記ターンテーブルの回転方向と相反する方向に開口する開口部を有して前記貫通穴を覆う遮蔽部とを備え、前記ターンテーブルの回転に伴って前記遮蔽部内に負圧を発生させるものから構成される。
【００１６】
このような構成により、ターンテーブルの回転に伴ってターンテーブルの回転方向と相反する方向に空気の流れが発生し、遮蔽部内の空気がターンテーブルの回転方向と相反する方向に開口する開口部を通って外部に流出して遮蔽部内が負圧になる。このため、この負圧によってディスクをターンテーブルに密着させることができ、ディスクを安定して回転させることができる。
【００１７】
本発明のディスク装置は、上述したディスククランプ装置を備えたものから構成される。
【００１８】
このような構成により、ターンテーブルの回転時に把持部をディスクの穴に強い力で圧接する必要がないので、ディスクをターンテーブルから着脱する際に大きな力が必要でなくなり、ディスクの着脱作業の作業性を向上させることができるディスク装置を提供することができる。
【００１９】
【発明の実施の形態】
以下、本発明の実施の形態を図面に基づいて説明する。
図１乃至図５は本発明のディスククランプ装置およびディスク装置の一実施の形態を示す図である。
【００２０】
まず、構成を説明する。図１乃至図４において、円状のターンテーブル１１は図示しないモータ機構によって回転されるようになっており、ＣＤプレーヤ、ＤＶＤプレーヤ、フロッピー（登録商標）ディスクドライブ等のディスク装置に内蔵され、図示しないディスク搬送機構によってディスク装置の内部および外部の間で移動するようになっている。
【００２１】
このターンテーブル１１の中心部には台座１２が設けられており、この台座１２にディスク２１（図３、図４参照）の中心部に設けられた穴２１ａが嵌合することにより、ディスク２１はターンテーブル１１の載置面１１ａに載置されるようになっている。
【００２２】
この台座１２にはターンテーブル１１の放射方向に沿って摺動する爪１３が設けられているとともに、爪１３を放射方向外方に付勢するバネ１４が設けられている。爪１３にはテーパ１３ａが設けられており、このテーパ１３ａは所定箇所から上部がターンテーブル１１の中心部に向かって傾斜している。また、爪１３にはテーパ１３ｂが設けられており、このテーパ１３ｂはテーパ１３ａに連続する前記所定箇所から下部がターンテーブル１１の中心部に向かって傾斜している。なお、本実施の形態では、台座１２、爪１３およびバネ１４が把持部を構成している。
【００２３】
また、載置面１１ａには９０゜の間隔でゴム等からなる薄い弾性シート１５が設けられており、この弾性シート１５の背面には貫通穴１６が設けられている。この貫通穴１６はターンテーブル１１を貫通しており、この貫通穴１６はターンテーブル１１の載置面１１ａと反対側の背面１１ｂに設けられたフード部材（遮蔽部）１７によって遮蔽されている。このフード部材１７にはターンテーブル１１の回転方向と相反する方向に開口する開口部１７ａが設けられており、この開口部１７ａを通して貫通穴１６が外部に連通している。本実施の形態では、貫通穴１６およびフード部材１７が負圧発生部を構成している。
【００２４】
次に、図３、図４に基づいてディスク１２をターンテーブル１１に取付ける方法を説明する。
【００２５】
まず、図３（ａ）に示すように手動またはディスク搬送機構によってディスク２１をターンテーブル１１に向かって移動させる（移動方向を矢印３１で示す）。次いで、ディスク２１を台座部１２に嵌合させる。このとき、ディスク２１の穴２１ａがテーパ１３ａに沿って移動するため、爪１３がバネ１４の付勢力に抗してターンテーブル１１の放射方向内方に移動する（図３（ｂ）、図４（ａ）参照）。
【００２６】
次いで、穴２１ａがテーパ１３ａからテーパ１３ｂに移動する。このとき、テーパ１３ａはテーパ１３ｂと傾斜方向が逆方向であるため、穴２１ａがテーパ１３ｂに沿って符号３１方向に移動すると、爪１３がバネ１４ａに付勢されてターンテーブル１１の放射方向外方に移動し、ディスク２１が載置面１１ａに載置されると、爪１３によって穴２１ａが圧接されてディスク２１が載置面に装着される（図４（ｂ）参照）。
【００２７】
また、ディスク２１をターンテーブル１１から取外す際には、図４（ｂ）から図３（ａ）の手順で爪１３が移動する。
【００２８】
次に、ディスク２１に記録されたデータの再生またはディスク２１にデータを記録するときの状態を図５に基づいて説明する。
【００２９】
ターンテーブル１１をモータ機構によって回転させると、ターンテーブル１１の回転に伴ってターンテーブル１１の回転方向と相反する方向に空気の流れが（空気の流れを矢印３２で示す）発生し、フード部材１７内の空気（矢印３３で示す）がターンテーブル１１の回転方向と相反する方向に開口する開口部１７ａを通って外部に流出する。このとき、ディスク２１は弾性シート１５を介して載置面１１ａに密着しているので、フード部材１７内が負圧になり、この負圧によってディスク２１がターンテーブル１１に密着する。したがって、ディスク２１がターンテーブル１１に強固に保持されて安定して回転される。
【００３０】
本実施の形態では、このようにターンテーブル１１の回転時に爪１３をディスク２１の穴２１ａに強い力で圧接する必要がないので、ターンテーブル１１の無回転時にディスク２１をターンテーブル１１から着脱する際、大きな力を不要にでき、ディスク２１の着脱作業の作業性を向上させることができる。
【００３１】
また、本実施の形態では、ターンテーブル１１の回転時に爪１３をディスク２１の穴２１ａに強い力で圧接する必要がないので、爪１３やバネ１４を使用した把持部に代えて、スリットを介して分離した皿バネ状の把持部を用いることも可能になり、把持部の構成を簡素化して低コストなディスククランプ装置を提供することができる。
【００３２】
また、本実施の形態のディスク装置は、上述した負圧発生部を有するディスククランプ装置を備えたので、ディスクの着脱作業の作業性を向上させることができるディスク装置を提供することができる。
【００３３】
なお、本実施の形態では、弾性シート１５はターンテーブル１１の載置面１１ａの４箇所に設けられているが、載置面１１ａ全面に設けられていても良い。また、少なくともフード部材１７によってターンテーブル１１の回転方向と相反する方向に空気の流れが発生するので、弾性シート１５を設けずともディスク２１に負圧が生じ、ディスク２１がターンテーブル１１に押し付けられるようになる。
【００３４】
また、弾性シート１５は貫通穴１６と対向する位置に孔を設けたり、貫通穴１６の載置面１６ａ側の周囲を取り囲むように設けても良い。
【００３５】
なお、弾性シート１５としては、シート（板状）の形状以外の弾性体を用いても良く、特に柔軟に変形してディスク２１と密着できる材質や形状であっても良い。
【００３６】
【発明の効果】
本発明によれば、ディスクをターンテーブルに着脱する作業を容易に行うことができるディスククランプ装置およびディスククランプ装置を備えたディスク装置を提供することができる。
【図面の簡単な説明】
【図１】本発明の一実施の形態のディスク装置に設けられたディスククランプ装置を示す図
（ａ）ディスククランプ装置の正面図
（ｂ）同図（ａ）のＢ−Ｂ方向断面図
【図２】本発明の一実施の形態のディスククランプ装置を示す図
（ａ）爪が突出した状態の図１（ａ）のＡ−Ａ方向断面図
（ｂ）爪が引っ込んだ状態の図１（ａ）のＡ−Ａ方向断面図
【図３】本発明の一実施の形態のディスククランプ装置を示す図
（ａ）ディスクをターンテーブルに装着する状態を示す図
（ｂ）同図（ａ）に後続する状態を示す図
【図４】本発明の一実施の形態のディスククランプ装置を示す図
（ａ）図３（ｂ）に後続する状態を示す図
（ｂ）図４（ａ）に後続する状態を示す図
【図５】本発明の一実施の形態のターンテーブルが回転するときの空気の流れを説明する図
【図６】従来のディスククランプ装置を示す図
（ａ）ディスククランプ装置の正面図
（ｂ）爪が突出した状態の図６（ａ）のＣ−Ｃ方向断面図
（ｃ）爪が引っ込んだ状態の図６（ａ）のＣ−Ｃ方向断面図
【符号の説明】
１１    ターンテーブル
１１ａ    載置面
１６    貫通穴（負圧発生部）
１７    フード部材（遮蔽部、負圧発生部）
１７ａ    開口部
２１    ディスク
【図１】
2004199739.tif 000003
【図２】
2004199739.tif 000004
【図３】
2004199739.tif 000005
【図４】
2004199739.tif 000006
【図５】
2004199739.tif 000007
【図６】
2004199739.tif 000008